(57)【特許請求の範囲】
【請求項１】
基準信号を発生する基準信号発生手段と、
時刻情報を表す複数のコード信号を含む電波信号を受信する受信手段と、
前記基準信号を入力し、入力された前記基準信号に基づいて、前記受信手段によって受信された電波信号に含まれる複数のコード信号から一つのコード信号を判別してデコード情報を取得し、当該デコード情報を出力する、前記基準信号の周波数調整を有さないデコード手段と、
前記デコード手段とは異なる回路によって構成され、前記基準信号を入力し、入力された前記基準信号を論理周波数調整し、論理周波数調整された調整済み基準信号に基づいて、報知用の時刻情報を計時するとともに、前記デコード情報を入力し、入力された前記デコード情報に基づいて、計時した報知用の時刻情報を修正する時刻計時手段と、
を備え、
前記時刻計時手段は、前記調整済み基準信号に基づいて生成された生成信号を出力し、
前記デコード手段は、前記生成信号を入力し、入力された前記生成信号に基づいて、前記基準信号をリセットすることを特徴とする電波修正時計。
【請求項２】
前記コード信号は、所定の周期で送信されるとともに、各周期内の一部の区間を除く残りの区間で、前記コード信号の判別が可能な信号であり、
前記デコード手段は、前記受信手段によって受信された電波信号から、前記所定の周期の開始タイミングを検出し、検出した開始タイミングに関する情報を出力し、
前記時刻計時手段は、前記開始タイミングに関する情報を入力し、入力された前記開始タイミングに関する情報に基づいて、前記一部の区間において前記生成信号を出力することを特徴とする請求項１に記載の電波修正時計。
【請求項３】
前記デコード手段は、前記残りの区間において前記コード信号の判別をおこない、前記一部の区間において前記基準信号をリセットすることを特徴とする請求項２に記載の電波修正時計。
【請求項４】
前記時刻計時手段は、前記報知用の時刻情報を出力し、
前記デコード手段は、前記報知用の時刻情報を入力し、入力された時刻情報を前記基準信号または当該基準信号の分周信号に基づいて計時するとともに、前記複数のコード信号の判別結果に基づいて、計時している前記報知用の時刻情報を修正した修正時刻情報を前記デコード情報とすることを特徴とする請求項１〜３のいずれか一つに記載の電波修正時計。
【請求項５】
前記デコード手段は、前記受信手段の出力信号を入力して前記時刻計時手段に出力する手段を有することを特徴とする請求項１〜４のいずれか一つに記載の電波修正時計。
【請求項６】
前記時刻計時手段は、前記デコード手段へ出力するデータの全部または一部を第１の通信周期で出力し、
前記デコード手段は、前記時刻計時手段へ出力するデータを前記第１の通信周期よりも長い第２の通信周期で出力することを特徴とする請求項１〜５のいずれか一つに記載の電波修正時計。
【発明の詳細な説明】
【技術分野】
【０００１】
この発明は、標準電波を受信して時刻を修正する電波修正時計に関する。
【背景技術】
【０００２】
従来、時針・分針・秒針などの時刻指示針を備え、当該時刻指示針が示す時刻を原子時計が計る時刻に一致するように修正する、いわゆる電波修正時計がある。このような電波修正時計は、時刻情報や日付情報を含む標準電波を受信するアンテナを備え、当該アンテナを介して受信した標準電波に含まれる情報に基づいて時刻指示針を強制的に変位させることによって、時刻を修正する。
【０００３】
電波修正時計は、クォーツ時計と比較して、正確な時刻を示すことが可能であり、かつ、時刻修正の手間を省くことができるため、近年普及している。また、近年、ファッション性重視などの理由から、電波修正時計の小型化、薄型化の傾向がある。特に女性用の腕時計において、その傾向はより高まっている。
【０００４】
従来、一般的な電波修正時計においては、時計用マイコンが時計全体の制御とともに、標準電波のデコード処理もおこなっていた。そのため、時計用マイコンのサイズの小型化には限界があった。
【０００５】
また、従来の技術による電波修正時計において、時計回路とは別に、標準電波のコード信号をデコードするデコード回路を備え、デコード回路が、デコードしたデータを時計回路へ出力する技術が存在する（たとえば、下記特許文献１を参照。）。この特許文献１にかかる電波修正時計においては、標準電波信号の秒同期位置から始まるＬｏレベルの区間の幅を、水晶発振器を基準クロックとしてカウンタで計数し、この計数値をタイムコードの判別に用いている。
【先行技術文献】
【特許文献】
【０００６】
【特許文献１】特開２００５−２２１５０５号公報
【発明の概要】
【発明が解決しようとする課題】
【０００７】
しかしながら、特許文献１では、カウンタによる計数の開始タイミングは、水晶発振器のクロック信号を基準に定められるので、デコード時間が長くなると、水晶発振器の発振精度に応じて、カウンタによる計数の開始タイミングもずれてしまい、正確に標準電波のコード信号のデコードができないという問題があった。
【０００８】
この発明は、上述した従来技術による問題点を解消するため、デコード回路を用い、簡単な構成で標準電波を、より正確にデコードすることができる電波修正時計を提供することを目的とする。
【課題を解決するための手段】
【０００９】
上述した課題を解決し、目的を達成するため、この発明にかかる電波修正時計は、基準信号を発生する基準信号発生手段と、時刻情報を表す複数のコード信号を含む電波信号を受信する受信手段と、前記基準信号を入力し、入力された前記基準信号に基づいて、前記受信手段によって受信された電波信号に含まれる複数のコード信号から一つのコード信号を判別してデコード情報を取得し、当該デコード情報を出力する、前記基準信号の周波数調整を有さないデコード手段と、前記デコード手段とは異なる回路によって構成され、前記基準信号を入力し、入力された前記基準信号を論理周波数調整し、論理周波数調整された調整済み基準信号に基づいて、報知用の時刻情報を計時するとともに、前記デコード情報を入力し、入力された前記デコード情報に基づいて、計時した報知用の時刻情報を修正する時刻計時手段と、を備え、前記時刻計時手段は、前記調整済み基準信号に基づいて生成された生成信号を出力し、前記デコード手段は、前記生成信号を入力し、入力された前記生成信号に基づいて、前記基準信号をリセットすることを特徴とする。
【００１０】
また、この発明にかかる電波修正時計は、上記の発明において、前記コード信号が、所定の周期で送信されるとともに、各周期内の一部の区間を除く残りの区間で、前記コード信号の判別が可能な信号であり、前記デコード手段が、前記受信手段によって受信された電波信号から、前記所定の周期の開始タイミングを検出し、検出した開始タイミングに関する情報を出力し、前記時刻計時手段が、前記開始タイミングに関する情報を入力し、入力された前記開始タイミングに関する情報に基づいて、前記一部の区間において前記生成信号を出力することを特徴とする。
【００１１】
また、この発明にかかる電波修正時計は、上記の発明において、前記デコード手段が、前記残りの区間において前記コード信号の判別をおこない、前記一部の区間において前記基準信号をリセットすることを特徴とする。
【００１２】
また、この発明にかかる電波修正時計は、上記の発明において、前記時刻計時手段が、前記報知用の時刻情報を出力し、前記デコード手段が、前記報知用の時刻情報を入力し、入力された時刻情報を前記基準信号または当該基準信号の分周信号に基づいて計時するとともに、前記複数のコード信号の判別結果に基づいて、計時している前記報知用の時刻情報を修正した修正時刻情報を前記デコード情報とすることを特徴とする。
【００１３】
また、この発明にかかる電波修正時計は、上記の発明において、前記デコード手段が、前記受信手段の出力信号を入力して前記時刻計時手段に出力する手段を有することを特徴とする。
【００１４】
また、この発明にかかる電波修正時計は、上記の発明において、前記時刻計時手段が、前記デコード手段へ出力するデータの全部または一部を第１の通信周期で出力し、前記デコード手段が、前記時刻計時手段へ出力するデータを前記第１の通信周期よりも長い第２の通信周期で出力することを特徴とする。
【発明の効果】
【００１５】
この発明にかかる電波修正時計によれば、デコード処理を主制御回路とは別回路でおこなわせることで、主制御回路の小型化、それにともなう電波修正時計全体の小型化、時計用マイコンのコストの低廉化を図るとともに、デコード処理を主制御回路と別回路でも確実におこなうことができるという効果を奏する。
【図面の簡単な説明】
【００１６】
【図１】この発明の実施の形態にかかる電波修正時計の外観を示す説明図である。
【図２】この発明の実施の形態にかかる電波修正時計のハードウエア構成を示す説明図である。
【図３】この発明の実施の形態にかかる電波修正時計のデコードＩＣおよびその周辺のハードウエア構成を示す説明図である。
【図４】この発明にかかる実施の形態の電波修正時計の受信動作の概要を示す説明図である。
【図５−１】この発明の実施の形態にかかる電波修正時計のデコードＩＣの動作の内容を示すフローチャート（その１）である。
【図５−２】この発明の実施の形態にかかる電波修正時計のデコードＩＣの動作の内容を示すフローチャート（その２）である。
【図６−１】この発明の実施の形態にかかる電波修正時計の時計用マイコンの動作の内容を示すフローチャート（その１）である。
【図６−２】この発明の実施の形態にかかる電波修正時計の時計用マイコンの動作の内容を示すフローチャート（その２）である。
【図７】スルーモードの動作の内容を示すタイミングチャートである。
【図８】受信初期動作の内容を示すタイミングチャートである。
【図９】受信モードにおける低速通信および分周リセット動作の内容を示すタイミングチャートである。
【図１０−１】標準電波のタイムコードの一例（Ｔｉｍｅ＿Ｃｏｄｅ：ＪＪＹ）を示す説明図である。
【図１０−２】標準電波のタイムコードの一例（Ｔｉｍｅ＿Ｃｏｄｅ：ＤＣＦ７７）を示す説明図である。
【発明を実施するための形態】
【００１７】
以下に添付図面を参照して、この発明にかかる電波修正時計の好適な実施の形態を詳細に説明する。
【００１８】
（電波修正時計の外観）
図１は、この発明の実施の形態にかかる指針式表示装置の一例である電波修正時計の外観を示す説明図である。図１において、電波修正時計は、本体１００と、本体１００をたとえば腕に装着するためのバンド（図示を省略）とから構成される、腕時計型の電波修正時計である。また、本体１００の外周には、りゅうず１０４および操作ボタン１０５を備えている。
【００１９】
本体１００の表示部分には、通常時刻を示す通常指針（分針１０１、時針１０２、秒針１０３）を備える。通常指針は、秒針１０３が秒周期で回転、すなわち６０秒で１回転（１周）する。分針１０１が分周期で回転、すなわち６０分で１回転（１周）する。時針１０２が時周期で回転、すなわち１２時間で１回転（１周）する。これらの指針（秒針１０３、分針１０１、時針１０２）によって通常時刻を表示する。３時の位置には日付表示窓１０６を備えている。
【００２０】
（電波修正時計の構成）
つぎに、この発明にかかる実施の形態の電波修正時計の構成ついて説明する。図２は、この発明の実施の形態にかかる電波修正時計のハードウエア構成を示す説明図である。図２において、電波修正時計本体１００には、時計用マイコン２００と、ＲＡＭ２０１と、ＲＯＭ２０２と、モータ駆動回路２０３と、複数（たとえば４つ）のモータ２０４と、複数（たとえば４つ）の輪列２０５と、基準信号発生部２０６と、アンテナ２０７と、同調回路２０８と、受信回路２０９と、デコードＩＣ２１０と、スイッチ部２１１と、スイッチ制御回路２１２と、ソーラセル２１３と、二次電池２１４と、充電制御回路２１５と、を備える。
【００２１】
さらに、後述する時刻表示制御部３０３によって制御される図示を省略する液晶駆動回路、ＬＥＤ、ＬＥＤ駆動回路、アラーム、アラーム駆動回路などをあわせて備えていてもよい。
【００２２】
時計用マイコン２００は、電波修正時計本体１００の全体を制御するほか、各種の構成部、回路を個別に演算制御する。ＲＡＭ２０１は、時刻情報あるいはカレンダ情報を含む計時データなどの各種データを記憶している。また、ＲＯＭ２０２は、各種の制御プログラムを記憶している。
【００２３】
モータ駆動回路２０３は、独立した複数のモータ２０４を駆動し、輪列２０５を介して、それぞれの指針（日板）を別個独立に駆動する。モータ駆動回路２０３は、時計用マイコン２００から出力される駆動信号を入力し、入力された駆動信号に応じた駆動パルスを４つのモータ２０４へそれぞれ出力する。
【００２４】
４つのモータ２０４は、具体的にはたとえばステップモータを用いており、モータ駆動回路２０３から出力される駆動パルスに応じた正転（右回り）または逆転（左回り）の回転動作をおこなう。
【００２５】
４つのモータ２０４のうちの一つのモータは、図１に示した秒針１０３を駆動する。２つめのモータは、図１に示した分針１０１を駆動する。３つめのモータは、図１に示した時針１０２を駆動する。４つめのモータは、文字盤の下側に設けられている日板を駆動する。モータおよび輪列は４つずつ示したが、３つ以下でもよく、５つ以上であってもよい。たとえば、一つめのモータが分針１０１および秒針１０３を駆動する。２つめのモータは、時針１０２および日板を駆動すれば、モータおよび輪列は２つあれば足りることになる。
【００２６】
基準信号発生部２０６は、たとえば発振回路から構成され、計時処理の基準となる所定の周波数を有する信号を発生する。また、図３において後述するＤＦ調（論理周波数調整）処理部３０２は、基準信号発生部２０６から発生される所定の周波数を有する信号を分周する。
【００２７】
同調回路２０８は、アンテナ２０７と同調をとり、たとえばコンデンサの容量を切り替えるなどによって、６０ｋＨｚ（米国）、７７．５ｋＨｚ（独国）、４０ｋＨｚ、６０ｋＨｚ（日本）などの周波数にアンテナ２０７を同調する。また、受信回路２０９は、アンテナ２０７によって受信された信号から標準電波を検出し、デコードＩＣ２１０に対して出力する。デコードＩＣ２１０の詳細については後述する。
【００２８】
受信回路２０９は、アンテナ２０７によって受信した信号を増幅する、図示を省略する増幅部、所望の周波数（４０ｋＨｚ、６０ｋＨｚ、７７．５ｋＨｚ）以外を除去する、図示を省略するフィルタ部、受信した標準電波を検波する、図示を省略する検波部、検波出力をデジタル出力に変換する、図示を省略するＡＤ変換部、増幅率を自動調整する、図示を省略するゲインコントロール部などを含む構成となっている。
【００２９】
スイッチ部２１１は、操作者の操作指示を入力する。具体的には、図１に示したりゅうず１０４、操作ボタン１０５などによって構成される。スイッチ制御回路２１２は、スイッチ部２１１からの信号に基づいて、操作者からの操作指示に関する入力を時計用マイコン２００に送信する。
【００３０】
充電制御回路２１５は、ソーラセル２１３によって受光された光を電力に変換し、二次電池２１４に蓄積する。また、充電制御回路２１５は、二次電池２１４の電圧（値）を検出する電圧検出機能、ソーラセル２１３が発電状態か非発電状態かを検出する発電検出機能などを備える。そして、これらの機能によって検出結果に関する信号を時計用マイコン２００に対して出力する。この信号に基づいて、充電残量の表示をおこなう。
【００３１】
液晶駆動回路は、図示を省略する表示画面を駆動して各種情報を表示させる。また、ＬＥＤ駆動回路は、ＬＥＤを駆動してバックライトとして表示画面を照明したり、警告光を出力したりする。ＬＥＤの代わりに、ＥＬ（Ｅｌｅｃｔｒｏｌｕｍｉｎｅｓｃｅｎｃｅ）、ランプなどを用いてもよい。アラーム駆動回路は、アラームが搭載する図示を省略する圧電素子を駆動して、アラーム（ブザー）を出力する。その際、アラーム駆動回路は、告知の種類によって、音の種類、高さ、音量などを変えて出力する。
【００３２】
図３は、この発明の実施の形態にかかる電波修正時計のデコードＩＣおよびその周辺のハードウエア構成を示す説明図である。図３において、受信ＩＣ３００は、図２に示した同調回路２０８および受信回路２０９の処理を実現する。また、時計用マイコン２００は、制御部３０１と、ＤＦ調処理部３０２と、時刻表示制御部３０３とを備えている。
【００３３】
デコードＩＣ２１０は、４つのモード部（受信モード部３１０、スルーモード部３２０、針穴検出モード部３３０、テストモード部３４０）と、時計用マイコン２００との信号・データの入出力を司る通信ポート入出力制御回路３５０と、時計用マイコン２００からデコードＩＣ２１０への高速通信によって送られたデータを処理する高速データ通信部３６０と、デコードＩＣ２１０から時計用マイコン２００へ低速通信によって送る低速データを処理する低速データ通信部３７０と、分周回路３８０と、電源回路３９０と、を備えている。
【００３４】
ここで、スルーモード部３２０が実行するスルーモードは、デコードＩＣ２１０を利用して受信ＩＣ３００の信号を時計用マイコン２００に出力し、時計用マイコン２００と受信ＩＣ３００との配線を増やさないようにするためのモードである。時計用マイコン２００は、受信ＩＣ３００の出力をモニタする。そして、タイムコード出力が安定したことを検出すると、デコード時に受信ＩＣ３００によって適切なＡＧＣがおこなわれるようにするためのＡＧＣに関する設定情報を、時計用マイコン２００から受信ＩＣ３００に出力する。したがって、スルーモードは、デコードＩＣ２１０によるデコード処理とは重複せずに処理を実行できるため、スルーモード部３２０をデコードＩＣ２１０内に設けることができる。
【００３５】
また、針穴検出モード部３３０が実行する針穴検出モードは、各指針（図１に示した分針１０１、時針１０２、秒針１０３など）の位置を検出するモードであり、針穴検出回路３３１は、輪列を構成する歯車の一部に穴を設け、その穴を挟んで上下にＬＥＤなどの発光素子と受光素子とを配置し、受光素子が光を受光することで、歯車の穴の位置（すなわち、歯車の穴の位置を基準に指針軸に針付けされた指針の位置）を検出する。針穴検出モードは、デコードＩＣ２１０によるデコード処理と針穴検出は異なるタイミングでおこなわれるので、針穴検出モード部３３０は、スルーモード部３２０と同様に、針穴検出機能をデコードＩＣ２１０に設けることができる。
【００３６】
また、テストモード部３４０が実行するテストモードは、デコードＩＣ２１０が正しくデコードできるか否かをテストするためのモードである。
【００３７】
受信モード部３１０は、受信パラメータ記憶部３１１と、時刻計時部３１２と、受信データ演算部３１３と、受信データ記憶部３１４と、を備えている。また、スルーモード部３２０はスルー通信部３２１を、針穴検出モード部３３０は針穴検出回路３３１および針穴結果通信部３３２を、それぞれ備えている。
【００３８】
また、高速データ通信部３６０は、モード判定部３６１およびパラメータ設定部３６２を備えており、時計用マイコン２００から出力されたリクエスト信号を通信ポート入出力制御回路３５０を介して入力する。入力されたリクエスト信号に基づいて、モード判定部３６１は、リクエストされたモードを判断し、モード決定データを各モード部へ出力する。モード決定データが入力されたモード部は、各モードにかかる動作を開始する。また、パラメータ設定部３６２は、リクエスト信号に基づいて、受信用のパラメータデータを受信モード部３１０へ、または針穴検出用のパラメータデータを針穴検出モード部３３０へ出力する。
【００３９】
受信パラメータ記憶部３１１は、パラメータ設定部３６２から出力された（受信）パラメータデータを入力し記憶する。そして、時刻計時部３１２は、受信パラメータ記憶部３１１から受信開始時刻に関するデータを読み込み、時刻を計時する。また、受信データ演算部３１３は、受信パラメータを受信パラメータ記憶部３１１から読み込む。
【００４０】
受信データ演算部３１３は読み取られた受信パラメータに基づいて、受信ＩＣ３００から出力されたタイムコードを入力し、演算処理を実行する。受信データ演算部３１３によって演算された結果（タイムコード結果／受信確定時刻）は、受信データ記憶部３１４に記憶するとともに、必要に応じて受信データ演算部３１３によって読み込まれる。そして、受信データ演算部３１３は、演算された結果を処理結果として低速データ通信部３７０へ出力する。
【００４１】
また、時刻計時部３１２は、受信データ記憶部３１４に記憶された受信確定時刻を読み込み、読み込んだ受信確定時刻に基づいて時刻を計時するとともに、現在時刻として、低速データ通信部３７０へ出力する。
【００４２】
低速データ通信部３７０は、時計用マイコン２００から出力されたリクエスト信号を通信ポート入出力制御回路３５０を介して入力し、入力されたリクエスト信号に基づいて、分周回路３８０へリセット信号を出力するとともに、時刻計時部３１２から出力された現在時刻または受信データ演算部３１３から出力された処理結果を応答信号として通信ポート入出力制御回路３５０へ出力し、通信ポート入出力制御回路３５０からデータ信号またはデコード出力信号として時計用マイコン２００へ送る。
【００４３】
分周回路３８０は、時計用マイコン２００から出力された３２ｋＨｚのクロック信号を通信ポート入出力制御回路３５０を介して入力し、入力された３２ｋＨｚのクロック信号に基づいて、デコードＩＣ２１０内のクロックを司る。分周回路３８０は、時計用マイコン２００のように、ＤＦ調処理部３０２を備えていないため、分周回路３８０から出力されるクロックの精度は、時計用マイコン２００から出力される精度よりも低い。そのため、低速データ通信部３７０から出力されるリセット信号（時計用マイコン２００のＤＦ調処理部３０２によって論理周波数調整された６４Ｈｚのクロック信号に基づく信号）で３２ｋＨｚのクロック信号が入力される分周回路３８０をリセットする。リセット処理の詳細については、後述する。
【００４４】
電源回路３９０は、デコードＩＣ２１０のすべての電源をまかなう。時計用マイコン２００から通信ポート入出力制御回路３５０を介して入力されるデコードＩＣイネーブル信号によりイネーブルがＯＮされるとデコードＩＣ２１０の電源がＯＮとなり、イネーブルがＯＦＦされるとデコードＩＣ２１０の電源がＯＦＦとなる。
【００４５】
（受信動作の内容）
つぎに、この発明にかかる実施の形態の電波修正時計の受信動作について説明する。図４は、この発明にかかる実施の形態の電波修正時計の受信動作の概要を示す説明図である。図４において、まず、時計用マイコン２００からデコードＩＣ２１０へ、高速通信にて、スルーモード設定データが送られ、受信ＩＣ３００においてＡＧＣ調整がおこなわれる。
【００４６】
そして、受信ＩＣ３００から出力されたタイムコードが、デコードＩＣ２１０のスルーモード部３２０のスルー通信部３２１に入力され、スルー通信部３２１からスルー結果信号として出力され、通信ポート入出力制御回路３５０を介してデータ信号として時計用マイコン２００に入力される。その後、内部時刻データ、受信パラメータがデコードＩＣ２１０の受信モード部３１０に送られ、デコードＩＣ２１０の受信モード部３１０において秒同期検出動作がおこなわれる。時計用マイコン２００からデコードＩＣ２１０への上記データ通信は、高速データ通信部３６０を介して高速通信によりおこなわれる。
【００４７】
その後、デコードＩＣ２１０は、受信ＩＣ３００が出力してくるタイムコードから秒同期を検出し、時計用マイコン２００からの毎秒ごとのリクエストに応じて秒同期データを出力する。デコードＩＣ２１０は、同様に、受信ＩＣ３００が出力してくるタイムコードを解析して分同期を検出し、時計用マイコン２００からの１０秒間隔ごとのリクエストに応じて分同期データを出力する。
【００４８】
その後、デコードＩＣ２１０は、受信ＩＣ３００が出力してくるタイムコードを解析して時刻データを取得する。その間、毎分「０１秒」、「１１秒」、「２１秒」、「３１秒」、「４１秒」、「５１秒」に、時計用マイコン２００からのリクエストに応じて、受信レベルデータ・デコード進行状況データを出力する。ここで、受信レベルデータは、タイムコードのノイズに関する情報である。また、デコード進行状況データは、デコードがどこまで進んだのかを（たとえば「秒同期まで進んでいる」、「分同期まで進んでいる」など）を表すデータである。
【００４９】
そして、時刻データが確定した場合には、「０１秒」における時計用マイコン２００からのリクエストに応じて、計時時刻データを出力する。これらの秒同期データ、分同期データ、受信レベル・デコード進行状況データ、計時時刻データの出力はデコード出力信号として、低速データ通信部３７０から、通信ポート入出力制御回路３５０を介して、低速通信により時計用マイコン２００へ送られる。
【００５０】
図５−１および図５−２は、この発明の実施の形態にかかる電波修正時計のデコードＩＣの動作の内容を示すフローチャートである。図５−１のフローチャートにおいて、デコードＩＣ２１０は、まず、時計用マイコン２００から電源回路３９０に入力されるデコードＩＣイネーブル信号によってイネーブルをＯＮにする（ステップＳ５０１）。その後、高速通信データの入力を待って（ステップＳ５０２：Ｎｏ）、高速通信データが入力された場合（ステップＳ５０２：Ｙｅｓ）は、入力された高速通信データの内容から、高速データ通信部３６０のモード判定部３６１が、モードを判定する。
【００５１】
判定されたモードが「スルーモード」であるか否かを判定し（ステップＳ５０３）、「スルーモード」である場合（ステップＳ５０３：Ｙｅｓ）は、スルーモード部３２０のスルー通信部３２１がスルー結果信号を継続的に出力する（ステップＳ５０４）。その後、電源回路３９０へデコードＩＣイネーブル信号がＯＦＦされるのを待って（ステップＳ５０５）、ＯＦＦされた場合（ステップＳ５０５：Ｙｅｓ）は、スルー結果信号の出力を停止して、スルーモードの動作を終了する。
【００５２】
ステップＳ５０３において、判定されたモードが「スルーモード」でなかった場合（ステップＳ５０３：Ｎｏ）は、判定されたモードが「針穴検出モード」であるか否かを判定する（ステップＳ５０６）。ここで、判定されたモードが「針穴検出モード」である場合（ステップＳ５０６：Ｙｅｓ）は、針穴検出モード部３３０の針穴検出回路３３１が針穴検出動作をおこない、針穴結果通信部３３２が、針穴検出結果信号を出力する（ステップＳ５０７）。そして、電源回路３９０へデコードＩＣイネーブル信号がＯＦＦされるのを待って（ステップＳ５０８：Ｎｏ）、ＯＦＦされた場合（ステップＳ５０８：Ｙｅｓ）は、針穴検出動作を終了する。
【００５３】
ステップＳ５０６において、判定されたモードが「針穴検出モード」でなかった場合（ステップＳ５０６：Ｎｏ）は、判定されたモードが「テストモード」であるか否かを判定する（ステップＳ５０９）。ここで、判定されたモードが「テストモード」である場合（ステップＳ５０９：Ｙｅｓ）は、テストモード部３４０がテスト動作をおこない、テスト結果信号を出力する（ステップＳ５１０）。そして、電源回路３９０へデコードＩＣイネーブル信号がＯＦＦされるのを待って（ステップＳ５１１：Ｎｏ）、ＯＦＦされた場合（ステップＳ５１１：Ｙｅｓ）は、テスト動作を終了する。
【００５４】
ステップＳ５０９において、判定されたモードが「テストモード」でなかった場合（ステップＳ５０９：Ｎｏ）は、判定されたモードが「受信モード」であるか否かを判定する（ステップＳ５１２）。ここで、判定されたモードが「受信モード」である場合（ステップＳ５１２：Ｙｅｓ）は、図５−２のフローチャートのステップＳ５５１へ移行する。一方、ステップＳ５１２において、判定されたモードが「受信モード」でなかった場合（ステップＳ５１２：Ｎｏ）は、ステップＳ５０２へ戻る。
【００５５】
図５−２のフローチャートにおいて、まず、図５−１のステップＳ５０２において入力された高速通信データの内容から、高速データ通信部３６０のパラメータ設定部３６２が受信パラメータを設定し（ステップＳ５５１）、タイムコード解析を開始する（ステップＳ５５２）。
【００５６】
つぎに、秒同期の取得動作をおこない、秒同期を取得することができたか否かを判断する（ステップＳ５５３）。秒同期が取得できていなければ（ステップＳ５５３：Ｎｏ）、取得できるまで繰り返し取得動作をおこなう。取得ができた場合（ステップＳ５５３：Ｙｅｓ）は、その後、時計用マイコン２００からのリクエスト信号を低速データ通信部３７０に入力されるのを待って（ステップＳ５５４：Ｎｏ）、リクエスト信号が入力された場合（ステップＳ５５４：Ｙｅｓ）は、低速データ通信部３７０が、リクエスト信号に含まれているクロックに基づくリセット信号を分周回路３８０へ出力し、分周回路３８０をリセットする（ステップＳ５５５）。
【００５７】
そして、分周回路３８０のリセット後に、受信データ演算部３１３が処理結果を低速データ通信部３７０へ出力し、その処理結果に基づいて低速データ通信部３７０が応答信号を出力することで、通信ポート入出力制御回路３５０を介して、秒同期位置情報を時計用マイコン２００へ送る（ステップＳ５５６）。
【００５８】
その後、分同期の取得動作をおこない、分同期を取得することができたか否か判断する（ステップＳ５５７）。分同期が取得できていなければ（ステップＳ５５７：Ｎｏ）、取得できるまで繰り返し取得動作をおこなう。取得ができた場合（ステップＳ５５７：Ｙｅｓ）は、時計用マイコン２００からのリクエスト信号を低速データ通信部３７０に入力されるのを待って（ステップＳ５５８：Ｎｏ）、リクエスト信号が入力された場合（ステップＳ５５８：Ｙｅｓ）は、低速データ通信部３７０が、ステップＳ５５５と同様に、リクエスト信号に含まれているクロックに基づくリセット信号を分周回路３８０へ出力し、分周回路３８０の分周クロックをリセットする（ステップＳ５５９）。
【００５９】
そして、分周クロックのリセット後に、受信データ演算部３１３が処理結果を低速データ通信部３７０へ出力し、その処理結果に基づいて低速データ通信部３７０が応答信号を出力することで、通信ポート入出力制御回路３５０を介して分同期位置情報を時計用マイコン２００へ送る（ステップＳ５６０）。
【００６０】
その後、時刻情報確定動作をおこない、時刻情報を確定することができたか否か判断する（ステップＳ５６１）。時刻情報が確定できていなければ（ステップＳ５６１：Ｎｏ）、確定できるまで繰り返し時刻確定動作をおこなう。ここで、時刻情報が確定していない場合は、ステップの図示は省略するが、「０１」秒のタイミングで、デコードＩＣ２１０が、受信レベルデータ、デコード進行状況データを時計用マイコン２００へ送信する。そして、時刻情報を確定することができた場合（ステップＳ５６１：Ｙｅｓ）は、時刻情報を修正する（ステップＳ５６２）。
【００６１】
そして、時計用マイコン２００からのリクエスト信号を低速データ通信部３７０に入力されるのを待って（ステップＳ５６３：Ｎｏ）、リクエスト信号が入力された場合（ステップＳ５６３：Ｙｅｓ）は、低速データ通信部３７０が、ステップＳ５５５と同様に、リクエスト信号に含まれているクロックに基づくリセット信号を分周回路３８０へ出力し、分周回路３８０の分周クロックをリセットする（ステップＳ５６４）。
【００６２】
分周クロックのリセット後に、時刻計時部３１２が現在時刻を低速データ通信部３７０へ出力し、低速データ通信部３７０が応答信号を出力することで、通信ポート入出力制御回路３５０を介して、時刻修正情報を時計用マイコン２００へ送る（ステップＳ５６５）。その後、デコードＩＣイネーブルＯＦＦ信号が電源回路３９０に入力されることで、デコードＩＣ２１０がイネーブルＯＦＦとなり（ステップＳ５６６）、一連の処理を終了する。
【００６３】
図６−１および図６−２は、この発明の実施の形態にかかる電波修正時計の時計用マイコンの動作の内容を示すフローチャートである。図６−１のフローチャートにおいて、時計用マイコン２００は、制御信号を受信ＩＣ３００へ出力し、受信ＩＣ３００のイネーブルをＯＮにし（ステップＳ６０１）、所定の安定時間、受信ＩＣ３００による受信動作が安定するのを待つ（ステップＳ６０２）。
【００６４】
その後、デコードＩＣ２１０のスルーモード部３２０へ、モード判定部３６１を介してモード決定データ（スルーモード設定データ）を入力させ、スルーモード動作を開始させ、スルーモード部３２０のスルー通信部３２１から出力されたスルー結果信号を入力し（ステップＳ６０３）、受信ＩＣ３００の設定変更をおこなう（ステップＳ６０４）。そして、所定の安定時間の経過を待って、時計用マイコン２００のクロックの１Ｈｚのタイミングで、電源回路３９０に入力されるデコードＩＣ２１０のイネーブル信号をＯＮにする（ステップＳ６０５）。
【００６５】
つぎに、デコードＩＣ２１０の受信モード部３１０へ、モード判定部３６１を介してモード決定データを入力させ、受信パラメータ（内部時刻データ、受信パラメータなど）を入力させ、受信モード動作を開始させる（ステップＳ６０６）。そして、リクエストタイミングになるのを待って（ステップＳ６０７：Ｎｏ）、リクエストタイミングになった場合（ステップＳ６０７：Ｙｅｓ）は、デコードＩＣ２１０へリクエスト信号を送信する（ステップＳ６０８）。ここでのリクエストタイミングは毎秒（１秒間隔）である。
【００６６】
そして、送信したリクエスト信号に対して、秒同期結果が得られたか否かを、すなわちデコードＩＣ２１０から秒同期位置情報信号が送信されてきたか否かを判断し（ステップＳ６０９）、秒同期結果が得られなかった場合（ステップＳ６０９：Ｎｏ）は、ステップＳ６０７へ戻って、ステップＳ６０７〜Ｓ６０９を繰り返しおこなう。ステップＳ６０９において、秒同期結果が得られた場合（ステップＳ６０９：Ｙｅｓ）は、図６−２のフローチャートのステップＳ６５１へ移行する。
【００６７】
図６−２のフローチャートにおいて、リクエストタイミングを毎秒から１０秒間隔へ変更する。１０秒間隔に変化する際に、秒同期位置情報信号に基づいて、後述する、タイムコード非判定区間においてリクエスト信号を送信するようにリクエストタイミングを設定する。そして、リクエストタイミングになるのを待って（ステップＳ６５２：Ｎｏ）、すなわち前回のリクエストから１０秒経過するのを待って、リクエストタイミングとなった場合（ステップＳ６５２：Ｙｅｓ）は、デコードＩＣ２１０へリクエスト信号を送信する（ステップＳ６５３）。
【００６８】
送信したリクエスト信号に対して、分同期結果が得られたか否かを、すなわちデコードＩＣ２１０から分同期位置情報信号が送信されてきたか否かを判断し（ステップＳ６５４）、分同期結果が得られなかった場合（ステップＳ６５４：Ｎｏ）は、ステップＳ６５２へ戻って、ステップＳ６５２〜Ｓ６５４を繰り返しおこなう。
【００６９】
ステップＳ６５４において、分同期結果が得られた場合（ステップＳ６５４：Ｙｅｓ）は、さらに、リクエストタイミングを変更する（ステップＳ６５５）。ステップＳ６５２においては、単に１０秒間隔であったが、ここでは、分同期結果が得られたので、１０秒間隔ではあるが、毎分「０１」秒、「１１」秒、「２１」秒、「３１」秒、「４１」秒、「５１」秒にリクエストするようにタイミングを変更する。
【００７０】
そして、リクエストタイミングになるのを待って（ステップＳ６５６：Ｎｏ）、すなわち、分同期結果に基づいて、毎分「０１」秒、「１１」秒、「２１」秒、「３１」秒、「４１」秒、「５１」秒になるのを待って、リクエストタイミングとなった場合（ステップＳ６５６：Ｙｅｓ）は、デコードＩＣ２１０へリクエスト信号を送信する（ステップＳ６５７）。送信したリクエスト信号に対して、時刻修正結果が得られたか否かを、すなわちデコードＩＣ２１０から時刻修正情報信号が送信されてきたか否かを判断し（ステップＳ６５８）、時刻修正結果が得られなかった場合（ステップＳ６５８：Ｎｏ）は、ステップＳ６５６へ戻って、ステップＳ６５６〜Ｓ６５８を繰り返しおこなう。
【００７１】
ただし、本実施の形態においては、時刻修正情報が送信されるのは、毎分「０１」秒のタイミングのみであって、他のリクエストタイミング（「１１」秒、「２１」秒、「３１」秒、「４１」秒、「５１」秒）では、デコードＩＣ２１０からは、時刻修正情報の代わりに、コード進行状況や、受信レベル、ノイズ量などの情報が送信される。
【００７２】
ステップＳ６５８において、時刻修正結果が得られた場合（ステップＳ６５８：Ｙｅｓ）は、受信動作を終了し（ステップＳ６５９）、デコードＩＣ２１０へデコードＩＣイネーブルＯＦＦ信号を出力することで、電源回路３９０のイネーブルをＯＦＦし（ステップＳ６６０）、時刻修正動作をおこなって（ステップＳ６６１）、一連の処理を終了する。
【００７３】
図７は、スルーモードの動作の内容を示すタイミングチャートである。図７のタイミングチャートにおいて、デコードＩＣイネーブル信号は、図３にも示したように、時計用マイコン２００から通信ポート入出力制御回路３５０を介して電源回路３９０に入力される信号であり、リクエスト信号は、図３にも示したように、時計用マイコン２００から通信ポート入出力制御回路３５０を介して低速データ通信部３７０に入力される信号である。
【００７４】
また、デコード出力信号は、図３にも示したように、デコードＩＣ２１０の通信ポート入出力制御回路３５０から時計用マイコン２００へ出力される出力信号であり、データ信号は、図３にも示したように、時計用マイコン２００とデコードＩＣ２１０の通信ポート入出力制御回路３５０との間のデータ信号である。デコード出力信号がＯＦＦの場合は、データ信号は時計用マイコン２００からデコードＩＣ２１０へ送信され、デコード出力信号がＯＮの場合は、反対に、データ信号はデコードＩＣ２１０から時計用マイコン２００へ送信される。
【００７５】
また、タイムコードは、図３にも示したように、受信ＩＣ３００からデコードＩＣ２１０の受信データ演算部３１３およびスルーモード部３２０のスルー通信部３２１へ入力されるコードデータである。
【００７６】
まず、（１）の時点で、デコードＩＣ２１０のイネーブル信号がＯＮとなり（立ち上がり）、その後、スルーモード設定用のデータ信号が入力ポートとして、時計用マイコン２００から高速通信によって送信される。このデータ信号と同一矩形のリクエスト信号が発生する。デコードＩＣ２１０のモード判定部３６１が、１ｍｓ周期のリクエスト信号のそれぞれの立ち下がりで、データを読み込み、スルーモード設定データであると判断したら、スルーモード設定のパラメータに対応するビット数分だけデータを読む。
【００７７】
そして、リクエスト信号の入力により、（２）の時点で、デコード出力信号が立ち上がり、データ信号は、タイムコードと同一矩形のデコードＩＣ２１０からのスルー結果信号をデコードＩＣ２１０から時計用マイコン２００へ送信する。このようにして、時計用マイコン２００は、受信ＩＣ３００から出力されるタイムコードを、デコードＩＣ２１０をスルーして、入力することができる。
【００７８】
また、図７のスルーモードにおいて、詳細内容は省略するが、スルーモードでは、時計用マイコン２００が受信ＩＣ３００の出力をモニタし、タイムコード出力が安定したのを検出したら、デコード時に受信ＩＣ３００によって適切なＡＧＣがおこなわれるようにするためのＡＧＣに関する設定情報を、時計用マイコン２００から受信ＩＣ３００に出力する。
【００７９】
図８は、受信初期動作の内容を示すタイミングチャートである。図８のタイミングチャートにおいて、受信ＩＣイネーブル信号は、時計用マイコン２００から受信ＩＣ３００へ送られる制御信号に含まれる信号であり、受信ＩＣ３００の受信動作、すなわち、タイムコードの出力／非出力を制御する。デコードＩＣイネーブル信号、デコード出力信号、データ信号、タイムコードは、図７に示したものと同じである。ＶＡＧＣは、自動利得制御（ＡＧＣ）電圧を示しており、受信ＩＣ３００は、ＶＡＧＣを安定させたのちにタイムコードを出力する。
【００８０】
（１）の時点で、時計用マイコン２００が、受信ＩＣイネーブル信号を立ち上げ、受信ＩＣ２１０のパラメータを設定することにより、タイムコードが受信ＩＣ３００から出力される。そして、（２）の時点で、デコードＩＣイネーブル信号を立ち上げるとともに、スルーモードに設定され、デコード出力信号を立ち上げることで、データ信号は、高速通信信号入力ポートから、タイムコードと同一矩形の出力ポートとなる。すなわち、図７でも説明したように、（２）の時点から、デコードＩＣイネーブル信号およびデコード出力信号が立ち下がる（３）の時点まで、スルーモードとなっている。
【００８１】
（３）の時点では、タイムコードは出力されているが、データ信号は発生していない。そして、（４）の時点で、デコードＩＣ２１０イネーブル信号を立ち上げた後に、データ信号として、受信モード設定用のデータと、受信モード設定のパラメータすなわち、内部時刻データ、受信パラメータ、値などのデータを時計用マイコン２００から出力する。
【００８２】
受信パラメータは、デコードＩＣ２１０の仕様などに応じて設定され、デコードＩＣ２１０のデコード処理に用いるデータを、デコード処理がおこなわれる前にまとめて出力するデータであって、受信パラメータ及び内部時刻データのデータ量は、受信中にデコードＩＣ２１０からマイコン２００に出力する秒同期データ、分同期データ、受信レベル、デコード進行状況データよりもデータ量が多い。デコードＩＣイネーブル信号を立ち上げた後に、高速通信によって受信パラメータおよび内部時刻データを出力することにより、データ量が多くても迅速に受信モードの動作を実行することができる。以後、デコードＩＣ２１０では受信モードの動作が実行される。
【００８３】
ここで、（１）から（２）までの期間が、図６−１のフローチャートのステップＳ６０２の安定時間を示しており、また、（３）から（４）までの期間が、ステップＳ６０５の安定時間を示している。
【００８４】
図９は、受信モードにおける低速通信および分周リセット動作の内容を示すタイミングチャートである。図９のタイミングチャートにおいて、タイムコード判定区間は、タイムコードがＨｉｇｈとなり、タイムコードの非判定区間は、タイムコードがＬｏｗとなる。すなわち、（１）の時点で、タイムコードがＨｉｇｈからＬｏｗに立ち下がっており、この時点でタイムコード判定区間からタイムコード非判定区間に切り替わる。
【００８５】
時計用マイコン２００のＤＦ調処理部３０２において調整されたマイコンＤＦ調済み６４Ｈｚ信号の矩形にあわせて（２）の時点でリクエスト信号が立ち上がり、（３）の時点でリクエスト信号が立ち下がる。このリクエスト信号に基づいてリセット信号が生成され（図９の分周回路リセット信号を参照）、分周回路３８０がリセットされる。また、リクエスト信号の立ち下がりのタイミング（（３）の時点）で、デコード出力信号が立ち上がり、デコードＩＣ２１０からのデータ信号の出力が可能な状態とする。
【００８６】
そして、デコード出力信号がＨｉｇｈの状態で、低速通信による応答データを出力する。低速通信は、高速通信の１ｍＳ周期の通信間隔よりも長い、デコードＩＣ２１０の６４Ｈｚ信号の周期でおこなわれる。その後、タイムコード非判定区間が終了する前に、応答データの低速通信が終了し、デコード出力信号が立ち下がる。このように、秒同期検出結果に基づき、時計用マイコン２００がタイムコード非判定区間に合わせてリクエスト信号を出力することができ、タイムコード非判定区間内において、リクエスト信号および応答データを発生させるので、タイムコードの判定に影響を及ぼさない。
【００８７】
ただし、応答データとして計時時刻データが出力される場合（「０１秒」）は、データが長く、タイムコード非判定区間内にすべてのデータを出力しきれない場合がある。その場合は、タイムコード判定区間へはみ出して出力する。すでに時刻が確定しているので、タイムコードの判定に影響があっても問題ないからである。
【００８８】
このように、時計用マイコン２００による通常の時刻計時精度を保つために、ＤＦ調が１０秒に１回の周期でおこなわれるので、１０秒に１回のリクエスト信号（１０秒に１回の分周回路のリセット）で、デコードＩＣ２１０の基準信号を時計用マイコン２００の基準信号に同期させることができる。
【００８９】
標準タイムコードの一例を図１０−１および図１０−２に示す。図１０−１は、標準電波のタイムコードの一例（Ｔｉｍｅ＿Ｃｏｄｅ：ＪＪＹ）を示す説明図であり、図１０−２は、標準電波のタイムコードの一例（Ｔｉｍｅ＿Ｃｏｄｅ：ＤＣＦ７７）を示す説明図である。
【００９０】
図１０−１に示すＴｉｍｅ＿Ｃｏｄｅ：ＪＪＹは、日本における標準電波のタイムコードであり、１秒間のうち、前半の８００ｍｓでタイムコードを判定可能であり、この区間をタイムコード判定区間とし、後半の２００ｍｓをタイムコード非判定区間としている。したがって、日本の標準電波においては、後半の２００ｍｓの間に、リクエスト信号を出力し、分周回路３８０の３２ｋＨｚ信号をリセットするとともに、応答データを低速通信する。
【００９１】
一方、図１０−２に示すＴｉｍｅ＿Ｃｏｄｅ：ＤＣＦ７７はヨーロッパにおける標準電波のタイムコードであり、１秒間のうち、前半の５００ｍｓでタイムコードを判定可能であり、この区間をタイムコード判定区間とし、後半の５００ｍｓをタイムコード非判定区間としている。したがって、ヨーロッパの標準電波においては、後半の５００ｍｓの間に、リクエスト信号を出力し、分周回路３８０の３２ｋＨｚ信号をリセットするとともに、応答データを低速通信する。
【００９２】
仮に、タイムコード判定区間にリクエスト信号を送信して分周回路３８０をリセットすると、これらの処理によってデコードＩＣによっておこなわれるタイムコードのサンプリングのタイミングがずれ、また、時計用マイコン２００とデコードＩＣ２１０との通信により発生するノイズの影響もあり、正しいコード判定ができないことがある。本実施の形態では、時計用マイコン２００とデコードＩＣ２１０との通信、および、デコードＩＣ２１０の分周回路３８０のリセットがタイムコード非判定区間でおこなわれるので、このような問題を生じない。
【００９３】
このように、この発明にかかる実施の形態の電波修正時計は、基準信号を発生する基準信号発生手段としての基準信号発生部２０６と、時刻情報を表す複数のコード信号を含む電波信号を受信する受信手段としてのアンテナ２０７、受信ＩＣ３００（同調回路２０８、受信回路２０９）と、基準信号を入力し、入力された基準信号に基づいて、受信手段によって受信された電波信号に含まれる複数のコード信号（ＪＪＹの０，１，ＰコードやＤＣＦの０，１，Ｍコード）から一つのコード信号を判別して計時時刻データ等のデコード情報を取得し、当該デコード情報を出力するデコード手段としてのデコードＩＣ２１０と、を備えている。ここで、デコード情報は、計時時刻データに限らず、０，１，Ｐ，Ｍなどのコード信号でもよい。
【００９４】
さらに、デコード手段とは異なる回路によって構成され、基準信号を入力し、入力された基準信号の周波数を調整し、調整された調整済み基準信号に基づいて、報知用の時刻情報を計時するとともに、デコード情報を入力し、入力されたデコード情報に基づいて、計時した報知用の時刻情報を修正する時刻計時手段としての時計用マイコン２００、を備えている。
【００９５】
そして、時計用マイコン２００が、調整済み基準信号に基づいて生成されたリセット信号を含むリクエスト信号を出力し、デコードＩＣ２１０がリセット信号を含むリクエスト信号を入力し、当該リセット信号によって、基準信号をリセットする。
【００９６】
したがって、この発明にかかる実施の形態の電波修正時計によれば、デコードＩＣ２１０の基準信号を時計用マイコン２００の調整済み基準信号に同期させることができる。これにより、デコードＩＣ２１０は、調整済み基準信号に同期した信号（たとえば３２ｋＨｚ信号を分周した６４Ｈｚ信号）によって、タイムコードを正確にサンプリングすることができる。
【００９７】
また、この発明にかかる実施の形態の電波修正時計は、コード信号が、所定の周期、すなわち、図１０−１または図１０−２に示したように、秒頭で立ち上がりまたは立ち下がるように送信されるとともに、各周期内の一部の区間（タイムコード非判定区間）を除く残りの区間（タイムコード判定区間）で、コード信号の判別が可能な信号であり、デコードＩＣ２１０が、受信ＩＣ３００によって受信された電波信号から、所定の周期の開始タイミング（たとえば秒頭）を検出し、検出した開始タイミングに関する情報を出力し、時計用マイコン２００が、開始タイミングに関する情報を入力し、入力された開始タイミングに関する情報に基づいて、一部の区間（タイムコード非判定区間）においてリセット信号を出力する。
【００９８】
また、この発明にかかる実施の形態の電波修正時計は、デコードＩＣ２１０が、残りの区間（タイムコード判定区間）においてコード信号の判別をおこない、一部の区間（タイムコード非判定区間）において基準信号をリセットする。
【００９９】
したがって、この発明にかかる実施の形態の電波修正時計によれば、タイムコード判定動作に影響を及ぼすことなく、デコードＩＣ２１０の基準信号のリセット動作をおこなうことができる。
【０１００】
また、この発明にかかる実施の形態の電波修正時計は、時計用マイコン２００が、報知用の時刻情報を出力し、デコードＩＣ２１０が、報知用の時刻情報を入力し、入力された時刻情報を、時刻計時部３１２が基準信号または基準信号の分周信号に基づいて計時するとともに、複数のコード信号の判別結果に基づいて、計時している報知用の時刻情報を修正した修正時刻情報をデコード情報とする。
【０１０１】
したがって、この発明にかかる実施の形態の電波修正時計によれば、時計用マイコン２００は、入力した修正時刻情報にかかる現在時刻を計時している現在時刻に置き換えるだけで、容易に時刻の修正をすることができる。
【０１０２】
また、この発明にかかる実施の形態の電波修正時計は、デコードＩＣ２１０のスルーモード部３２０が、電波信号（タイムコード）を出力し、時計用マイコン２００が、デコードＩＣ２１０によって出力された電波信号（タイムコード）を入力する。
【０１０３】
したがって、この発明にかかる実施の形態の電波修正時計によれば、時計用マイコン２００が、デコードＩＣ２１０を介して受信ＩＣ３００が出力するタイムコードを取得することができ、タイミングを時計用マイコン２００が作り出すことができる。また、取得したタイムコードに基づいて、デコードＩＣ２１０へのリクエスト信号の出力タイミングを計ることができる。
【０１０４】
また、この発明にかかる実施の形態の電波修正時計は、時計用マイコン２００が、デコードＩＣ２１０へ出力するデータの全部または一部を第１の通信周期（図４に示した「高速通信」）で出力し、デコードＩＣ２１０が、時計用マイコン２００へ出力するデータを第１の通信周期（「高速通信」）よりも長い第２の通信周期（図４に示した「低速通信」）で出力する。
【０１０５】
したがって、この発明にかかる実施の形態の電波修正時計によれば、高速通信によって、デコードＩＣ２１０が、より迅速に受信動作を開始することができる一方、デコード出力は低速通信によっておこなわれるので、デコード出力に関するマイコン２００の処理が負担にならない。
【０１０６】
このように、この発明にかかる実施の形態の電波修正時計によれば、デコード処理を時計用マイコン２００とは別回路（デコードＩＣ２１０）でおこなわせることで、時計用マイコン２００の小型化、それにともなう電波修正時計全体の小型化を図ることができる。また、時計用マイコン２００の小型化にともない、１枚のウエハからより多くの時計用マイコン２００が取れること等により、時計用マイコン２００のコストの低廉化を図ることができる。
【０１０７】
それとともに、論理周波数調整機能を備えていないデコードＩＣ２１０の分周回路３８０から出力されるクロックの精度は、論理周波数調整機能を備えている時計用マイコン２００から出力される精度より低くても、時計用マイコン２００の論理周波数調整された信号でリセットし、タイムコードのサンプリングがおこなわれるので、コード判定を正確におこなうことができるとともに、時計用マイコン２００とも容易に同期させて、時計用マイコン２００とのデータ通信が正確におこなわれるので、デコード処理を時計用マイコン２００と別回路（デコードＩＣ２１０）でも確実におこなうことができる。
【産業上の利用可能性】
【０１０８】
以上のように、この発明にかかる電波修正時計は、標準電波を受信して時刻を修正する電波修正時計に有用であり、特に、腕時計などのように小型化、低廉化が要求される電波修正時計に適している。
【符号の説明】
【０１０９】
１００  電波修正時計本体
２００  時計用マイコン
２０６  基準信号発生部
２０７  アンテナ
２１０  デコードＩＣ
３００  受信ＩＣ
３０２  ＤＦ調（論理周波数調整）処理部
３１０  受信モード部
３２０  スルーモード部
３５０  通信ポート入出力制御回路
３６０  高速データ通信部
３７０  低速データ通信部
３８０  分周回路
【図１】
0005667462.tif 000002
【図２】
0005667462.tif 000003
【図３】
0005667462.tif 000004
【図４】
0005667462.tif 000005
【図５−１】
0005667462.tif 000006
【図５−２】
0005667462.tif 000007
【図６−１】
0005667462.tif 000008
【図６−２】
0005667462.tif 000009
【図７】
0005667462.tif 000010
【図８】
0005667462.tif 000011
【図９】
0005667462.tif 000012
【図１０−１】
0005667462.tif 000013
【図１０−２】
0005667462.tif 000014